(57)【要約】汚泥を脱水する装置は、分割壁により取り入れ槽と抽出槽とに分割された内部空間を有するタンクと、上記取り入れ槽に対して取り入れ弁により接続された取り入れ管と、上記抽出槽に対して放出弁により接続された放出管と、上記取り入れ槽と上記抽出槽との間に流体連通を提供する移送管と、を備える。上記移送管は、上記取り入れ槽の底部の近傍の第１開口と、上記抽出槽の頂部の近傍の第２開口とを有する。上記取り入れ槽内の正圧および負圧を、ポンプが選択的に生成する。上記抽出槽内において上記移送管の上記第２開口と上記放出管との間には網体が配置される。
2020524604.tif 000002
【特許請求の範囲】
【請求項１】
分割壁により取り入れ槽と抽出槽とに分割された内部空間を有するタンクと、
前記取り入れ槽に対して取り入れ弁により接続された取り入れ管と、
前記抽出槽に対して放出弁により接続された放出管と、
前記取り入れ槽と前記抽出槽との間に流体連通を提供する移送管であって、前記取り入れ槽の底部の近傍の第１開口と、前記抽出槽の頂部の近傍の第２開口とを備える移送管と、
前記取り入れ槽内に正圧および負圧を選択的に生成するポンプと、
前記抽出槽内において前記移送管の前記第２開口と前記放出管との間に位置された網体と、
を備える、汚泥を脱水する装置。
【請求項２】
前記移送管は前記タンクの長手軸心から約４５°の角度にて配向される、請求項１記載の装置。
【請求項３】
前記分割壁は前記タンクの前記長手軸心から約４５°の角度にて接続された角度付き部分を備える、請求項２記載の装置。
【請求項４】
前記移送管は、前記タンクの長手軸心から約９０°の角度にて配向された下部と、前記タンクの前記長手軸心に対して略々平行に配向された上部とを備える、請求項１〜３の何れか一項に記載の装置。
【請求項５】
前記分割壁は前記移送管の上部を受容する開口を有する湾曲壁部を備える、請求項１〜４の何れか一項に記載の装置。
【請求項６】
前記移送管の前記第２開口に対して取り付けられたシュノーケル・アセンブリを備え、該シュノーケル・アセンブリは、物質が前記移送管の前記第２開口を出ることを許容すると共に、物質が前記移送管の前記第２開口に入ることを阻止する弁を有する、請求項１〜５の何れか一項に記載の装置。
【請求項７】
前記網体は、前記抽出槽の形状に対して実質的に一致すると共に、前記移送管の前記第２開口が前記網体内にあるように、前記移送管を受容する孔を有する、請求項１〜６の何れか一項に記載の装置。
【請求項８】
前記抽出槽に隣接する前記タンクの端部は縁部を有する蓋体を備え、
前記網体は前記蓋体が閉じられたときに該蓋体の前記縁部に当接して押圧する縁部を備える、請求項１〜７の何れか一項に記載の装置。
【請求項９】
前記移送管の前記第１開口は、該第１開口内へと流体を案内する漏斗部材を有する、請求項１〜８の何れか一項に記載の装置。
【請求項１０】
前記ポンプに対する可撓ホース接続構造を備える、請求項１〜９の何れか一項に記載の装置。
【請求項１１】
前記取り入れ管、前記移送管、および、前記放出管の内のひとつ以上に対する可撓ホース接続構造を備える、請求項１〜９の何れか一項に記載の装置。
【請求項１２】
分割壁により取り入れ槽と抽出槽とに分割された内部空間を有するタンクと、前記取り入れ槽に対して取り入れ弁により接続された取り入れ管と、前記抽出槽に対して放出弁により接続された放出管と、前記取り入れ槽と前記抽出槽との間に流体連通を提供する移送管であって、前記取り入れ槽の底部の近傍の第１開口と、前記抽出槽の頂部の近傍の第２開口とを備えるという移送管と、前記取り入れ槽内に正圧および負圧を選択的に生成するポンプと、前記抽出槽内において前記移送管の前記第２開口と前記放出管との間に位置された網体と、を備える装置を配備するステップと、
前記取り入れ弁を開いて前記ポンプにより取り入れタンクに対して負圧を付与し、固形物および液状物の混合物を前記取り入れ管を通して取り入れタンク内へと吸引するステップと、
取り入れタンク内へとポリマを注入して前記固形物を凝集させるステップと、
前記取り入れ弁を閉じ、移送弁を開き、且つ、前記放出弁を開いて、前記ポンプにより取り入れタンクに対して正圧を付与し、前記凝集された固形物および液状物の混合物を前記移送管を通して前記抽出槽内へと強制移動させることで、前記網体は凝集された固形物を捕捉し、液状物は前記放出管を通過することを許容するステップと、
を備える、汚泥を脱水する方法。
【請求項１３】
前記抽出槽に隣接する前記タンクの端部は、縁部を有する蓋体を備え、
前記網体は、前記蓋体が閉じられたときに該蓋体の前記縁部に当接して押圧する縁部を備え、
前記方法は、前記蓋体を開き、前記網体を取り外すことなく、前記抽出槽から固形物を取り除くステップを備える、請求項１２記載の方法。
【発明の詳細な説明】
【技術分野】
【０００１】
本開示内容は、下水汚泥処理法、特に、汚泥（ｓｌｕｄｇｅ）および他の物質を脱水する装置および方法に関する。
【背景技術】
【０００２】
下水汚泥は、固形物および液状物の混合物で構成される。その固形物から液状物を分離すると、液状物は再使用され得ると共に、固形物は処理のために更に効率的に搬送され得る。汚泥または他の物質から液状物を分離する種々のシステムは、特許文献１、特許文献２、特許文献３、特許文献４、特許文献５、特許文献６、および特許文献７を含む先行技術において存在する。
【先行技術文献】
【特許文献】
【０００３】
【特許文献１】米国特許第３６７７４０９号明細書
【特許文献２】米国特許第５５０３７５３号明細書
【特許文献３】米国特許第４８１６１６７号明細書
【特許文献４】米国特許第３０２８０１１号明細書
【特許文献５】米国特許出願公開第２０１６／０２８９１０９号明細書
【特許文献６】米国特許第５４６２６６１号明細書
【特許文献７】米国特許第４０２１３４７号明細書
【発明の概要】
【発明が解決しようとする課題】
【０００４】
本発明者は、汚泥および他の物質から水を取り除く（脱水する）ための優れた装置、方法およびシステムに対する必要性を確認した。
【課題を解決するための手段】
【０００５】
本開示内容のひとつの見地は、汚泥を脱水する装置を提供する。汚泥を脱水する装置は、分割壁により取り入れ槽および抽出槽へと分割された内部空間を有するタンクと、上記取り入れ槽に対して取り入れ弁により接続された取り入れ管と、上記抽出槽に対して放出弁により接続された放出管と、上記取り入れ槽と上記抽出槽との間に流体連通を提供する移送管と、を備える。上記移送管は、上記取り入れ槽の底部の近傍の第１開口と、上記抽出槽の頂部の近傍の第２開口とを有する。上記取り入れ槽内の正圧および負圧を、ポンプが選択的に生成する。上記抽出槽内において上記移送管の上記第２開口と上記放出管との間には、網体（スクリーン）が位置される。
【０００６】
別の見地は、汚泥を脱水する方法を提供する。方法は、分割壁により取り入れ槽と抽出槽とに分割された内部空間を有するタンクと、上記取り入れ槽に対して取り入れ弁により接続された取り入れ管と、上記抽出槽に対して放出弁により接続された放出管と、上記取り入れ槽と上記抽出槽との間に流体連通を提供する移送管であって、上記取り入れ槽の底部の近傍の第１開口と、上記抽出槽の頂部の近傍の第２開口とを備えるという移送管と、上記取り入れ槽内に正圧および負圧を選択的に生成するポンプと、上記抽出槽内において上記移送管の上記第２開口と上記放出管との間に位置された網体と、を配備するステップを備える。方法は更に、上記取り入れ弁を開いて上記ポンプにより上記取り入れタンクに対して負圧を付与し、固形物および液状物の混合物を上記取り入れ管を通して上記取り入れタンク内へと吸引するステップと、上記取り入れタンク内へとポリマを注入して上記固形物を凝集させるステップと、上記取り入れ弁を閉じ、移送弁を開き、且つ、上記放出弁を開いて、上記ポンプにより上記取り入れタンクに対して正圧を付与し、上記凝集された固形物および液状物の混合物を上記移送管を通して上記抽出槽内へと強制移動させることで、上記網体は凝集された固形物を捕捉し、液状物は上記放出管を通過することを許容するステップと、を備える。
【０００７】
以下においては、好適実施例の更なる見地および詳細が示される。
【０００８】
以下の各図は、同様の参照番号が同様の部材を表すという実施例を示している。各実施例は、添付図面において、限定的にではなく、例示的にのみ示される。
【図面の簡単な説明】
【０００９】
【図１】一実施例に係る、蓋体が閉じた好適な脱水装置の断面図である。
【図２】蓋体が開かれた、図１の装置の断面図である。
【図３】一実施例に係る代表的な脱水装置の外観図である。
【図４】図３の装置の抽出槽の内部の概観図である。
【図５】図３の装置の網体を示す図である。
【図６】抽出槽から固形物を除去するために蓋体が開いた図３の装置を示す図である。
【図７】一実施例に係る、トラック荷台上に設置された好適な脱水装置を示す図である。
【図８】蓋体が開くと共に、トラック荷台が上昇して傾斜した図７の装置を示す図である。
【図９】一実施例に係る好適な脱水装置を示す図である。
【図１０】図９の装置の分解図である。
【図１１】図９の装置の上面図である。
【図１１Ａ】図１１におけるＡ−Ａ線に沿って破断された断面図である。
【図１１Ｂ】図９の装置の側面図である。
【図１１Ｃ】図１１Ａの円形Ｃの領域における詳細図である。
【図１１Ｄ】図１１Ｂの円形Ｄの領域における詳細図である。
【図１２】図９の装置の移送管を示す図である。
【図１２Ａ】図１２の移送管の側面図である。
【図１２Ｂ】図１２の移送管の前面図である。
【発明を実施するための形態】
【００１０】
以下の内容は、汚泥を脱水する好適な装置および方法を記述する。
【００１１】
図示の簡潔さおよび明瞭化のために、対応するまたは同様の要素を表すべく、各図では参照番号が繰り返し使用され得る。本明細書中に記述される実例の理解を提供するために、多くの細部が示される。各例は、これらの細部なしで実用化され得る。他の場合、記述される実例の不明瞭化を回避するために、公知の方法、手順および構成要素は詳細には記述されない。記述内容は、本明細書中に記述された各例の有効範囲に限定されると考慮されるべきでない。
【００１２】
図１および図２は、汚泥を脱水する好適な装置１００の断面を示している。装置１００は、分割壁１０４により取り入れ槽１０６と抽出槽１０８とに分割された内部空間を有するタンク１０２を備える。取り入れ槽１０６に対しては、取り入れ槽１０６内に正圧および負圧を選択的に生成するためにポンプ１１０が接続される。ポンプ１１０は、一次フィルタ１１２および二次フィルタ１１４を有し得る。ポンプ１１０およびフィルタ１１２／１１４は、実質的に、標準的な真空吸引トラックにおけるものと同一であり得る。取り入れ槽１０６に対しては、以下で論じられる如く上記タンク内へと汚泥または他の物質を取り入れるために、取り入れ弁１１７を有する取り入れ管１１６が接続される。上記取り入れ管上には、たとえばキャニスタ・フィルタの如き（不図示の）粗目の取り入れフィルタが配備されることで、（たとえば、約１２．７ｍｍ（１／２インチ）直径より大きい）大寸の固形物が取り入れ槽に進入することを阻止し得る。抽出槽１０８に対しては、以下で論じられる如く上記タンクから液状物を放出するために、放出弁１１９有する放出管１１８が接続される。
【００１３】
取り入れ槽１０６と抽出槽１０８との間の流体連通を、移送管１２０が提供する。移送管１２０は、取り入れ槽１０６の底部の近傍の第１開口１２２と、抽出槽１０８の頂部の近傍の第２開口１２４とを有する。分割壁１０４は、自身の頂部の近傍にて移送管１２０の通過を許容する開口を有するが、その他の箇所では、取り入れ槽１０６から抽出槽１０８をシールする。
【００１４】
抽出槽１０８内において、移送管１２０の第２開口１２４と放出管１１８の開口との間には、網体１３０が位置される。幾つかの実施例においては、図１に示された如く、網体１３０は、抽出槽１０８の形状に対して実質的に形状一致し得ると共に、移送管１２０の第２開口１２４に対する孔を有し得る。好適な網体の詳細は、以下で図５に関して論じられる。図示された例において、タンク１０２の抽出槽１０８の端部は、固形物の除去のために抽出槽１０８に対するアクセスを許容すべく開かれ得る蓋体１４０を備える。網体１３０は、網体１３０が所定位置とされ且つ蓋体１４０が閉じられたときに蓋体１４０の縁部１４２に当接して押圧する概略的に円形の縁部１３２を備えた開放端部を備える。蓋体１４０は、図２に示された如きバックル・ラッチ１４４、または、他の任意で適切な機構により、閉じて保持され得る。タンク１０２は、安全弁１５２および圧力計１５４も備える。幾つかの実施例において、タンク１０２は、取り入れ槽１０６の上部において、それに対するアクセスを提供するアクセス・ハッチ１５６（図１参照）、および、取り入れ槽１０６の下部において、移送管１２０および分割壁１０４の底部の近傍に洗浄用ポート１５８（図１参照）も有している。他の実施例において、ハッチ１５６および／またはポート１５８は異なる箇所であり得る。
【００１５】
図示例において、移送管１２０は、水平から約４５°の角度である。他の実施例において、移送管１２０は水平から異なる角度であり得る。本明細書中で用いられる如く、「水平」という語句は、「水平」の絶対角度はタンク１０２の配向が変わるにつれて変化し得る如く、タンク１０２の長手軸心に対して平行な方向を指している。この構成は、以下で論じられる如く、タンク１０２が投出または洗浄のために傾動されたとき、取り入れ槽１０６もしくは移送管１２０内に残存する一切の汚泥もしくは他の物質が抽出槽１０８内へと落下することを許容する。図示例においては、分割壁１０４の角度付き部分１０５もまた、水平から約４５°の角度である。他の実施例において、分割壁１０４および移送管１２０は異なる様に構成され得る（たとえば、幾つかの実施例において、分割壁は移送管の底端部における第１開口から垂直上方に延在し得るか、または、図９〜図１２に関して以下で論じられる如く、分割壁は湾曲壁部を備えて成り得ると共に移送管は実質的に垂直であり得る）ことから、取り入れおよび抽出槽１０６および１０８および網体１３０は、異なる実施例において異なる形状を有し得る。
【００１６】
図３、図４および図５は、一実施例に係る代表的な脱水装置１００Ａの特徴を示している。図３〜図５の装置１００Ａの各要素は、図１の装置１００の対応要素に対応して付番されている。図４は、図３の装置１００Ａのタンク１０２Ａの抽出槽１０８Ａの内部の概観を示しており、移送管１２０Ａの第２開口１２４Ａは分割壁１０４Ａを貫通して突出して示される。図５は、図３の装置１００Ａの網体１３０Ａを示している。網体１３０Ａは、自身から延在する構造的支持フレーム１３４Ａを備える縁部１３２Ａを備える。縁部１３２Ａおよび構造的支持フレームにより、ワイヤ網目および細径の網体材料製の網状体１３６Ａが支持される。図６は、抽出槽から固形物を除去するために蓋体１４２Ａが開かれた図３の装置１００Ａを示している。
【００１７】
幾つかの実施例において、脱水装置１００／１００Ａは、（図７および図８に示された如く）トラック荷台上に、トレーラ上に、または、装置を作業場所まで／から移動する他の任意の搬送プラットフォーム上に設置され得る。図１および図２の好適な装置１００の動作は、装置１００を異なる配向として、且つ、蓋体１４０を閉じ位置および開き位置として、図７および図８に示される。幾つかの実施例において、装置１００は、たとえば、図８に示された如く蓋体を開き位置としてトラック荷台を上昇させて傾斜させることにより、異なる配向まで移動し得る。
【００１８】
汚泥の取り入れを開始するために、取り入れ管１１６は、汚泥の発生源内へと載置された（不図示の）ホースなどに対して接続される。取り入れ弁１１７を開き、ポンプ１１０により取り入れ槽１０６に対して負圧が付与されると、汚泥は、取り入れ管１１６を通して取り入れ槽１０６内へと取り込まれる。たとえば、（不図示の）別体的なポリマ注入弁を通して、取り入れ槽１０６内へとポリマが注入される。当業界で公知である如く、取り入れ槽１０６内へと適切なポリマを注入すると、汚泥中の固形物は凝集して塊状物となる。
【００１９】
汚泥が取り入れ槽１０６内となれば、取り入れ弁１１７は閉じられると共に、放出弁１１９が開かれて、ポンプ１１０により取り入れ槽１０６に対して正圧が付与される。この正圧により、汚泥は、第１開口１２２内へ、移送管１２０を上り、且つ、第２開口１２４を通り抽出槽１０８内へと、強制移動される。汚泥が第２開口１２４を通り抽出槽１０８内へと通過した後、網体１３０は、固形物は遮断し、且つ、液状物は網体１３０を通ると共に放出管１１８を通り出射することを許容することにより、固形物および液状物を分離する。
【００２０】
幾つかの実施例において、液状物が放出されたなら、蓋体１４０は開かれると共に、抽出槽１０８内で網体１３０により捕捉された固形物は、シャベル作業または他の手段により手動的に除去される。幾つかの実施例において、タンク１０２は、たとえば、図８に示された如くトラック荷台を上昇させて傾斜させることにより、投出のために傾動され得る。
【００２１】
図９〜図１１Ｄは、別の好適な装置２００を示している。図９〜図１１Ｄの装置２００の各要素は、１ｘｘの代わりに２ｘｘの形態で、図１の装置１００の対応要素に対応して付番される。装置２００は、実質的に図１の装置１００と同様に動作するが、以下で論じられる如く、取り入れ槽２０６、抽出槽２０８、分割壁２０４、移送管２２０および網体２３０の形状を含め、多くの詳細において装置１００と異なる。図９〜図１１Ｄの例においては、鋼鉄または他の剛性材料で構築された装置２００の要素が示されるが、以下に記述される如く、装置２００の各管を相互に対して接続する種々の可撓ホースは示されない。
【００２２】
装置２００は、分割壁２０４により取り入れ槽２０６および抽出槽２０８へと分割された内部空間を有するタンク２０２を備える。この実施例において、分割壁２０４は角度付き区画を有さず、代わりに、分割壁は、取り入れ槽２０６自体が圧力タンクの形態である如く、取り入れ槽２０６の反対側面と同様な様式で湾曲される。図示例において、取り入れ槽２０６は自身内に、トラックが自身上に取付けられた装置２００を駆動しているときにタンク２０２内の物質の動的移動を減少するバッフル・アセンブリ２０７（図１１Ａ参照）を有する。
【００２３】
タンク２０２は、トラックに取付けられるべく構成されたデッキ・アセンブリ２５０上に取付けられる。タンク２０２の底部に対しては下枠アセンブリ２５２が取付けられると共に、下枠アセンブリ２５２は、タンク２０２が投出のために前部にて傾斜され得る如く、デッキ・アセンブリ２５０の後側にて枢着ピン２５４に対して枢動連結される。下枠アセンブリ２５２は、図１１Ａおよび図１１Ｂにおいて最適に見られる如く、タンク２０２が僅かな傾斜に在る如く、後部よりも前部にて高位とされ得る。
【００２４】
取り入れ槽２０６に対しては、取り入れ槽２０６内に選択的に正圧および負圧を生成する（不図示の）ポンプが接続される。図示例において、上記ポンプは、タンク２０２の側面上に取付けられた第１接続管２１１Ａと、デッキ・アセンブリ２５０上に取付けられた第２接続管２１１Ｂとを通して、主要フロート・トラップ２１２に対して結合されるべく構成される。主要フロート・トラップ２１２と第１接続管２１１Ａとの間、第１接続管２１１Ａと第２接続管２１１Ｂとの間、および、第２接続管２１１Ｂとポンプとの間には、（不図示の）可撓ホースが接続される。上記ポンプは、自身に対して関連付けられた（不図示の）ひとつ以上の補助フィルタも有し得る。上記ポンプ、フロート・トラップ２１２、および、各フィルタは、標準的な真空吸引トラックにおけるものと実質的に同一であり得る。
【００２５】
取り入れ槽２０６に対しては、以下で論じられる如く、汚泥または他の物質をタンク内へと吸引するために、取り入れ管２１６／２１６Ａ／２１６Ｂが接続される。図示例において、上記取り入れ管の第１部分２１６と取り入れ管の第２部分２１６Ａとの間には、（不図示の）可撓ホースにより、たとえば、キャニスタ・フィルタの如き粗目取り入れフィルタ２１５が接続されることで、（たとえば、約１２．７ｍｍ（１／２インチ）直径より大きい）大寸の固形物が上記取り入れ槽に進入することを阻止する。上記取り入れ管の第２部分２１６Ａは、（不図示の）別の可撓ホースにより、取り入れ弁２１７を有する取り入れ管の第３部分２１６Ｂに対して接続される。抽出槽２０８に対しては、以下で論じられる如きタンクからの液状物の放出のために、放出弁２１９を有する放出管２１８が接続される。
【００２６】
図１０、図１１Ａ、図１１Ｃ、図１２、図１２Ａおよび図１２Ｂに関し、装置２００は、タンク２０２が水平であるときに（自身の頂部が概略的に水平である如く頂部の近傍における屈曲を以て）概略的に垂直に配向される移送管２２０を備える。移送管２２０は、取り入れ槽２０６と抽出槽２０８との間における流体連通を提供する。移送管２２０は、取り入れ槽２０６の底部の近傍の第１開口２２２と、抽出槽２０８の頂部の近傍の第２開口２２４とを有する。分割壁２０４は、自身の頂部の近傍にて移送管２２０の通過を許容する開口を有するが、その他の箇所では、取り入れ槽２０６から抽出槽２０８をシールする。抽出槽２０８内において、移送管２２０の第２開口２２４と放出管２１８の開口との間には、網体２３０が位置される。幾つかの実施例において、網体２３０は、抽出槽２０８の形状に対して実質的に形状一致し得る。網体２３０は、第２開口２２４が網体２３０の内部である如く、移送管２２０の上端部を受容する孔を有する。図示例においては、以下に記述される如く、移送管２２０の第２開口２２４に対してはシュノーケル・アセンブリ２２６が取付けられる。
【００２７】
移送管２２０の底部における第１開口２２２は、流体を移送管２２０内へと案内する漏斗形構造２２３を有する。図１２Ａにおいて最適に見られる如く、漏斗形構造２２３の底部は、タンク２０２の底部と、タンク２０２に対して分割壁２０４が交わる箇所におけるそれの底部部分とに形状一致すべく形状化される。移送管２２０の第２開口２２４の近傍には、フランジ２２５が配備される。フランジ２２５は、シール用ガスケット２２８により上記網体に対して取付けられたシュノーケル・アセンブリ２２６の対応フランジ２２７に対してボルト締めされるべく構成される。シュノーケル・アセンブリ２２６は、取り入れ槽２０６に対して正圧が付与されたときに物質が移送管２２０から抽出槽２０８に進入することを許容する浮遊ボール弁２２９であって、取り入れ槽２０６に対して負圧が付与されたときに物質が移送管２２０を通り抽出槽２０８を離脱することを阻止するという浮遊ボール弁２２９も備える。
【００２８】
図示例において、タンク２０２の抽出槽２０８の端部は、固形物の除去のために抽出槽２０８に対するアクセスを許容すべく開かれ得る蓋体２４０を備える。網体２３０は、網体２３０が所定位置とされ且つ蓋体２４０が閉じられたときに蓋体２４０の縁部２４２に当接して押圧する概略的に円形の縁部２３２を備えた開放端部を備える。網体２３０は、その両側上に、抽出槽２０８の内部上のピン受容器２３３（図１０参照）内に受容されるべく構成されたピン２３１を有し得る。蓋体２４０の縁部２４２と上記網体の縁部２３２との間の境界領域には、（不図示の）ひとつ以上のシール・リングが配備され得る。蓋体２４０は、複数のラッチ２４４、または、他の任意で適切な機構により閉じて保持され得る。
【００２９】
タンク２０２は、（不図示の）安全弁および（不図示の）圧力計も備え得る。図示例において、タンク２０２は、取り入れ槽２０６の各側面の一方にて、その内部に対するアクセスを提供するアクセス・ハッチ２５６（図１１および図１１Ｂを参照）を有し、且つ、蓋体２４０は、その下部に投出ポート２５８を有する。他の実施例において、ハッチ２５６および／または投出ポート２５８は、異なる箇所であり得る。投出口２５８は、アクセス・ハッチ、泥流ゲート、掃除口などと称され得る。
【００３０】
作動時において、汚泥の取り入れを開始するために、取り入れ管２１６Ｂは、汚泥の発生源内へと載置された（不図示の）ホースなどに対して接続される。取り入れ弁２１７を開き、ポンプにより取り入れ槽２０６に対して負圧が付与されると、汚泥は、取り入れ管２１６を通して取り入れ槽２０６内へと吸引される。たとえば、（不図示の）別体的なポリマ注入弁を通して、取り入れ槽２０６内へとポリマが注入される。当業界で公知である如く、取り入れ槽２０６内へと適切なポリマを注入すると、汚泥中の固形物は凝集して塊状物となる。汚泥が取り入れ槽２０６内となれば、取り入れ弁２１７は閉じられると共に、放出弁２１９が開かれて、ポンプにより取り入れ槽２０６に対して正圧が付与される。この正圧により、汚泥は、第１開口２２２内へ、移送管２２０を上り、且つ、第２開口２２４を通り抽出槽２０８内へと、強制移動される。汚泥が第２開口２２４を通り抽出槽２０８内へと通過した後、網体２３０は、固形物は遮断し、且つ、液状物は網体２３０を通ると共に放出管２１８を通り出射することを許容することにより、固形物および液状物を分離する。
【００３１】
多くの特定の詳細内容は、本明細書中に記述された代表的実施例の十分な理解を提供するために示されたことは理解される。但し、当業者であれば、本明細書中に記述された各実施例は、これらの特定の詳細内容なしで実用化され得ることは理解される。他の場合、本明細書中に記述された実施例を不明瞭としないように、公知の方法、手順および構成要素は詳細には記述されなかった。更に、この説明は、本明細書中に記述された実施例の有効範囲を何らか限定するのではなく、本明細書中に記述された種々の好適実施例の実施方式を記述するにすぎないと考慮されるべきである。
【００３２】
上記説明は、発明の主題の多くの好適実施例を提供する。各実施例は、発明的な複数の要素の単一の組み合わせを表現しているが、発明の主題は、開示された要素の全ての可能的な組み合わせを包含すると考えられる。故に、一実施例が要素Ａ、ＢおよびＣを備えると共に第２の実施例が要素ＢおよびＤを備えるなら、発明の主題は、明示的に開示されないとしても、Ａ、Ｂ、ＣまたはＤに関する他の残存する組み合わせも包含すると考えられる。
【００３３】
各実施例は詳細に記述されてきたが、本明細書においては、種々の変更、置換および改変が為され得ることが理解されるべきである。更に、本出願の有効範囲は、明細書中に記述されたプロセス、機械、製造物、組成物、手段、方法およびステップの特定実施例に限定されることは意図されない。理解され得る如く、上記に説明かつ図示された各例は、例示的であることのみが意図される。
【００３４】
上述の開示内容に鑑みれば当業者に対して明らかである如く、本明細書中に記述された方法およびシステムに対しては多くの変更および改変が可能である。上記においては多数の代表的な見地および実施例が論じられてきたが、当業者であれば、それらに関する幾つかの改変、置換、付加、および、下位組み合わせを認識し得よう。故に、当業者により合理的に推察され得る如く、以下に添付される請求項、および、本明細書で以下において導入される請求項は、斯かる改変、置換、付加および下位組み合わせの全てを包含すると解釈されることが意図される。各請求項の有効範囲は、各例において示された実施例により制限されるべきでなく、上述の開示内容と一致する最も広範囲な解釈が与えられるべきである。
【００３５】
本開示内容は、その精神または本質的な特性から逸脱せずに他の特定形態で具現され得る。記述された実施例は、全ての観点において、単に例示的であり、限定的ではないと考えられる。
【図１】
2020524604.tif 000003
【図２】
2020524604.tif 000004
【図３】
2020524604.tif 000005
【図４】
2020524604.tif 000006
【図５】
2020524604.tif 000007
【図６】
2020524604.tif 000008
【図７】
2020524604.tif 000009
【図８】
2020524604.tif 000010
【図９】
2020524604.tif 000011
【図１０】
2020524604.tif 000012
【図１１】
2020524604.tif 000013
【図１１Ａ】
2020524604.tif 000014
【図１１Ｂ】
2020524604.tif 000015
【図１１Ｃ】
2020524604.tif 000016
【図１１Ｄ】
2020524604.tif 000017
【図１２】
2020524604.tif 000018
【図１２Ａ】
2020524604.tif 000019
【図１２Ｂ】
2020524604.tif 000020
【国際調査報告】
2020524604.tif 000021
2020524604.tif 000022